(57)【要約】【課題】フレーム伝送の冗長をなくし、スループットを上げ効率の良い伝送を可能とすることを目的とする。【解決手段】相互に送受信可能な一方と他方の伝送装置を有し、各伝送装置の相互間でフレームによりデータをやりとりするフレーム伝送システムにおいて、一方の伝送装置５０１Ａが、同期パタンを生成する同期パタン生成部３Ａと、生成された同期パタンを伝送用の情報データフレームに付加して同期パタン付フレームを生成する同期パタン付加部２Ａとを備え、この生成された同期パタン付フレームを他方の伝送装置５０Ｂへ伝送する。又、前述した同期パタン生成部３Ａは、受信側の他方の伝送装置５０１Ｂから送られてくる当該受信側で確立された最適値の同期時間情報に基づいて同期パタンを再生成する同期パタン再生機能を備えている。この再生成された同期パタンは同期に不必要な冗長なパタン部分が削除されている。このため、伝送効率が改善される。【選択図】図１
2007097072.tif 000002
【特許請求の範囲】
【請求項１】
相互に送受信可能な一方と他方の伝送装置を有し、当該各伝送装置の相互間でフレームによりデータをやりとりするフレーム伝送システムにおいて、
前記一方の伝送装置が、予め設定された同期時間情報に基づき同期パタンを生成する同期パタン生成部と、この生成された同期パタンを伝送情報である情報データフレームに付加して同期パタン付フレームを生成する同期パタン付加部と、この生成された同期パタン付フレームを前記他方の伝送装置へ伝送するフレーム送信部とを備え、
前記同期パタン生成部が、受信側である前記他方の伝送装置から送られてくる当該受信側で確立された同期時間情報に基づいて前記同期パタンを再生成する同期パタン再生機能を備えていることを特徴とするフレーム伝送システム。
【請求項２】
前記請求項１に記載のフレーム伝送システムにおいて、
受信側である前記他方の伝送装置が、前記一方の伝送装置から伝送される同期パタン付フレームに含まれる同期パタンに基づいて当該受信側でクロック同期の検出に必要な制御情報である同期時間情報を生成する同期時間情報生成部と、この生成された同期時間情報を受信側にとって最適な同期時間情報として前記一方の伝送装置に送信する制御管理部とを備えていることを特徴とするフレーム伝送システム。
【請求項３】
前記請求項１又は２に記載のフレーム伝送システムにおいて、
前記同期時間情報は、同期確立に必要な最少時間で構成されていることを特徴とするフレーム伝送システム。
【請求項４】
前記請求項１又は２に記載のフレーム伝送システムにおいて、
前記同期時間情報は、同期確立に必要な最少ビット数で構成したことを特徴とするフレーム伝送システム。
【請求項５】
前記請求項１乃至４のいずれか１つに記載のフレーム伝送システムにおいて、
送信側である前記一方の伝送装置から受信側である前記他方の伝送装置へ所定の伝送回線を介して同期パタン付フレームを伝送すると共に、
前記他方の伝送装置で必要とする同期確立用の同期時間情報を、前記フレーム伝送用のフレーム伝送回線とは別に装備された管理制御情報伝送回線で前記一方の伝送装置へ伝送することを特徴としたフレーム伝送システム。
【請求項６】
前記請求項１乃至４のいずれか１つに記載のフレーム伝送システムにおいて、
前記一方の伝送装置が備えている機能と同等の機能を前記他方の伝送装置が備えると共に、前記他方の伝送装置が備えている機能と同等の機能を前記一方の伝送装置が備え、
前記フレーム伝送用の伝送回線を、一方から他方へ伝送する第１の伝送回線と、他方から一方へ伝送する第２の伝送回線とにより構成し、前記管理制御情報伝送回線が前記同期時間情報を相互に伝送する機能を有することを特徴とするフレーム伝送システム。
【請求項７】
前記請求項６に記載のフレーム伝送システムにおいて、
受信側である前記他方の伝送装置にて生成される同期確立用の同期時間情報を、前記フレーム伝送用の第２の伝送回線を利用して送信側である前記一方の伝送装置へ伝送する
ことを特徴とするフレーム伝送システム。
【請求項８】
相互に送受信可能な一方と他方の伝送装置を有し、当該各伝送装置の相互間でフレームによりデータをやりとりするフレーム伝送方法において、
前記一方の伝送装置が、予め設定された同期時間情報に基づき同期パタンを生成し、この生成された同期パタンを伝送情報である情報データフレームに付加して同期パタン付フレームを生成し、この生成された同期パタン付フレームを前記他方の伝送装置へ送信し、受信側である前記他方の伝送装置から送られてくる当該受信側で確立された同期時間情報に基づいて前記同期パタンを再生成することを特徴とするフレーム伝送方法。
【請求項９】
前記請求項８に記載のフレーム伝送方法において、
受信側である前記他方の伝送装置が、前記一方の伝送装置から伝送される同期パタン付フレームに含まれる同期パタンに基づいて当該受信側でクロック同期の検出に必要な制御情報である同期時間情報を生成し、この生成された同期時間情報を受信側にとって最適な同期時間情報として前記一方の伝送装置に送信することを特徴とするフレーム伝送方法。
【請求項１０】
伝送装置相互間でフレームによりデータをやりとりする機能をコンピュータで実現するフレーム伝送プログラムにおいて、
予め設定された同期時間情報に基づき同期パタンを生成する機能と、この生成された同期パタンを伝送情報である情報データフレームに付加して同期パタン付フレームを生成する機能と、この生成された同期パタン付フレームを受信側伝送装置へ送信する機能と、受信側伝送装置から送られてくる当該受信側で確立された同期時間情報に基づいて前記同期パタンを再生成する機能とを、コンピュータに実現させるためのフレーム伝送プログラム。
【請求項１１】
前記請求項１０に記載のフレーム伝送プログラムにおいて、
同期パタン付フレームに含まれる同期パタンに基づいて前記受信側伝送装置でクロック同期の検出に必要な制御情報である同期時間情報を生成する機能と、この生成された同期時間情報を受信側にとって最適な同期時間情報として送信側伝送装置に送信する機能とをコンピュータに実現させるためのフレーム伝送プログラム。
【発明の詳細な説明】
【技術分野】
【０００１】
本発明は、同期パタンを付加してフレーム伝送を行う同期式のフレーム伝送システム、伝送方法、および伝送プログラムに関し、特に同期パタン長を最適な長さに設定可能な同期式のフレーム伝送システム、伝送方法、および伝送プログラムに関する。
【背景技術】
【０００２】
従来、フレーム（パケット）の先頭に同期確立用のビットを付加して通信を行う規格として、ＩＥＥＥ８０２．３委員会において標準化がなされているイーサネット（登録商標）〔Ｅthernet (R) 〕が広く知られており、幅広く普及している。このフレーム（パケット）の先頭に同期確立用のパタンを付加して通信を行う手法はイーサネット以外にも多数存在するが、ここではイーサネットに主眼をおく。
【０００３】
図７はＯＳＩ参照モデルにおけるイーサネットの物理層とデータリンク層のフレームフォーマットを示したものである。
この図７において、クロック同期のトレーラ部分であるＰＡ(Preamble)は、１，０交番の７バイト（byte）のパタンから成り、受信するフレームのＰＡを使用して受信側伝送装置の駆動回路の安定のための時間確保や受信側伝送装置が持っているクロックと受信するフレームのクロック同期化に用いられる。このＰＡは、データリンク層において付加され、実際にはＬＡＮアダプタ等の内部で行われるのが一般的である。
【０００４】
このデータリンク層において付加されるＰＡは、従来、受信側回路で要するクロック同期確立時間情報によらず７バイト（byte）固定のＰＡが付加されている。しかしながら、現在のほとんどの受信側装置（ＬＡＮアダプタ）は、１４ビット（ｂｉｔ）以内でそのクロック同期確立が完了していることが一般に知られている。
【０００５】
近年、ＦＴＴＨ（ Fiber To The Home）やＡＤＳＬ（ Asynchronous Digital Subscriber Line ）の普及率の増加に伴い情報電送に際しては高い伝送効率が望まれている。これに対応して、昨今にあっては特許文献１に示すように、フレーム長そのものを最適な長さに設定し、これによってスループットを上げ伝送効率を上げる技術が開発されている。
【特許文献１】特開平１０−２４２９４６号
【発明の開示】
【発明が解決しようとする課題】
【０００６】
従来より、同期用パタンが付加されたフレームの送受信を行う伝送システムでは、同期検出を行う同期検出回路が必要とする同期時間によらず固定長の同期用パタンが送信側で付加されている。このため、受信側同期検出回路で同期確立した後にも同一形態の同期用パタンが入力され続けることになり、その冗長な同期パタンがデータのスループットを下げ伝送効率を下げる要因となっている、という不都合があった。
【０００７】
また、上記特許文献１は、伝送するフレーム全体の長さを「伝送中に発生する誤り」が最小になるような長さに最適化し、これによりスループットを上げ伝送効率を上げるようにしている。一方、同期パタン（ＰＡ）は固定長に関しては、この特許文献１ではそのままであり、その冗長な同期パタンがデータのスループットを下げ伝送効率を下げるという不都合が生じていた。
【０００８】
本発明は、上記従来例の不都合を改善し、特にフレーム伝送における冗長部分を削除してデータのスループットを向上させ効率のよい伝送を成し得るフレーム伝送システム、伝送方法、および伝送プログラムを提供することを、その目的とする。
【課題を解決するための手段】
【０００９】
上記目的を達成するため、本発明に係るフレーム伝送システムは、相互に送受信可能な一方と他方の伝送装置を有し、当該各伝送装置の相互間でフレームによりデータをやりとりするフレーム伝送システムにおいて、前述した一方の伝送装置（以下、「送信側伝送装置」と称す）が、予め設定された同期時間情報に基づき同期パタンを生成する同期パタン生成部と、この生成された同期パタンを伝送情報である情報データフレームに付加して同期パタン付フレームを生成する同期パタン付加部と、この生成された同期パタン付フレームを前述した他方の伝送装置（以下、「受信側伝送装置」と称す）へ伝送するフレーム送信部とを備えている。更に、前述同期パタン生成部が、受信側伝送装置から送られてくる当該受信側で確立された同期時間情報に基づいて前述同期パタンを再生成する同期パタン再生機能を備えていることを特徴とする（請求項１）。
【００１０】
これにより、同期パタンの長さは、同期時間情報に基づいてその時点の最適値に作成されると共に情報データフレームに付加され受信側に伝送される。従来は、同期パタンは固定長であり、その長さの相当数は利用されないのにその固定長分の伝送がなされていた。即ち、同期パタンの大部分は利用されないのに固定長分をフレーム伝送する毎に伝送していたため冗長が発生し、スループットを大幅に低下させ伝送効率を低下させていた。本発明により、同期パタンの必要な部分のみを情報データフレームに付加して受信側に伝送するためスループットの大幅な向上を図ることができ、これにより伝送効率を大幅に向上させることができる。
【００１１】
また、本発明では、前述した受信側伝送装置が、送信側伝送装置から伝送される同期パタン付フレームに含まれる同期パタンに基づいて当該受信側でクロック同期の検出に必要な制御情報である同期時間情報を生成する同期時間情報生成部と、この生成された同期時間情報を受信側にとって最適な同期時間情報として前述一方の伝送装置に送信する制御管理部とを備えていることを特徴とする（請求項２）。
これにより、受信した同期パタンよりクロック同期の検出に必要な最適な同期時間情報を生成し、これを最適な同期パタン情報の元情報として送信側伝送装置に迅速にフィードバックすることができる。
【００１２】
ここで、前述した同期時間情報については、これを同期確立に必要な最少時間で構成してもよい（請求項３）。更に、この同期時間情報については、これを同期確立に必要な最少ビット数で構成してもよい（請求項４）。
【００１３】
更に、送信側伝送装置から受信側伝送装置へ所定のフレーム伝送回線を介して同期パタン付フレームを伝送すると共に、前述受信側伝送装置で必要とする同期確立用の同期時間情報を、前述フレーム伝送用の伝送回線とは別に装備された管理制御情報伝送回線で前記一方の伝送装置へ伝送する構成を有していてもよい（請求項５）。
これにより、同期パタン付フレームを伝送する伝送回線と、同期時間情報などの管理情報を伝送する伝送回線とが別に構成されるので、データの伝送と管理制御情報の伝送を別々に行うことができ、情報伝送を迅速化を成し得るという利点がある。
【００１４】
更に、前述した一方の伝送装置が備えている機能と同等の機能を前述した他方の伝送装置が備えると共に、前述した他方の伝送装置が備えている機能と同等の機能を前述した一方の伝送装置が備えた構成とする。そして、前述したフレーム伝送用の伝送回線を、一方から他方へ伝送する第１の伝送回線と，他方から一方へ伝送する第２の伝送回線とにより構成すると共に、前述した管理制御情報伝送回線が、前述した同期時間情報を相互に伝送する機能を有するように構成してもよい（請求項６）。
このため、同期パタン付フレームを伝送する伝送回線を、上り（一方から他方へ）の回線と下り（他方から一方へ）の回線とに別々に構成することとなり、上りの同期パタン付フレーム伝送と下りの同期パタン付フレーム伝送を別々に行うことができ、これにより情報伝送の迅速化を図ることができる。
【００１５】
更に、受信側伝送装置にて生成される同期確立用の同期時間情報を、前述フレーム伝送用の第２のフレーム伝送回線を利用して送信側伝送装置へ伝送する構成を有していてもよい（請求項７）。これにより、一つの回線上にデータの伝送と管理制御情報の伝送を時間をずらして行うことができるため、管理制御情報の伝送回線が不要となり回線の有効利用を図ることができる。
【００１６】
又、本発明のフレーム伝送方法は、相互に送受信可能な伝送装置の相互間でフレームによりデータをやりとりするフレーム伝送方法において、前述送信側伝送装置が、予め設定された同期時間情報に基づき同期パタンを生成し、この生成された同期パタンを伝送情報である情報データフレームに付加して同期パタン付フレームを生成し、この生成された同期パタン付フレームを前述受信側伝送装置へ送信すると共に、受信側伝送装置から送られてくる当該受信側で確立された同期時間情報に基づいて前述同期パタンを再生成することを特徴とする（請求項８）。
これにより、同期パタンは、同期時間情報に基づいてその時点の最適値に生成されて情報データフレームに付加され、その後に受信側へ伝送される。その結果、同期パタンの必要な部分のみを情報データフレームに付加して受信側に伝送することが可能となり、これによりスループットの向上，即ち伝送効率の向上を図ることができる。
【００１７】
更に、本発明にかかるフレーム伝送方法では、受信側伝送装置が、前述送信側伝送装置から伝送される同期パタン付フレームに含まれる同期パタンに基づいて当該受信側でクロック同期の検出に必要な制御情報である同期時間情報を生成し、この生成された同期時間情報を受信側にとって最適な同期時間情報として前述送信側伝送装置に送信することを特徴とする（請求項９）。
これにより、受信した同期パタンよりクロック同期の検出に必要な最適な同期時間情報を生成し、これを最適な同期パタンの元情報として送信側伝送装置にフィードバックすることができる。
【００１８】
又、本発明にかかるフレーム伝送プログラムでは、伝送装置相互間でフレームによりデータをやりとりする機能を実現するフレーム伝送プログラムにおいて、予め設定された同期時間情報に基づき同期パタンを生成する機能と、この生成された同期パタンを伝送情報である情報データフレームに付加して同期パタン付フレームを生成する機能と、この生成された同期パタン付フレームを受信側伝送装置へ送信する機能と、受信側伝送装置から送られてくる当該受信側で確立された同期時間情報に基づいて前述同期パタンを再生成する機能とをコンピュータに実現させる構成とした（請求項１０）。
これにより、同期パタンを同期時間情報に基づいてその時点の最適値に迅速に生成し、この同期パタンを情報データフレームに付加して受信側に伝送することができる。即ち、同期パタンの必要な部分のみを情報データフレームに付加して受信側に伝送するため、スループットの大幅な向上が可能となり大幅な伝送効率の向上を図ることができる。
【００１９】
更に、前述のフレーム伝送プログラムは、同期パタン付フレームに含まれる同期パタンに基づいて前述受信側伝送装置でクロック同期の検出に必要な制御情報である同期時間情報を生成する機能と、この生成された同期時間情報を受信側にとって最適な同期時間情報として送信側伝送装置に送信する機能と、をコンピュータに実現させる構成とした（請求項１１）。
これにより、受信した同期パタンよりクロック同期の検出に必要な最適な同期時間情報を生成し、これを最適な同期パタンの元情報として送信側伝送装置にフィードバックすることができる。
【発明の効果】
【００２０】
本発明は、上述したように構成され機能するので、これによると、受信側で同期確立に必要な同期時間情報（ビット数など）を対向する送信側に通知し、対向する送信側で付加する同期パタンをこの同期時間情報に基づいて最適化するので、データのスループットが向上し、その結果伝送効率が著しく向上するという従来にない優れた効果を得ることができる。
【発明を実施するための最良の形態】
【００２１】
〔第１の実施形態〕
以下、本発明の第１の実施形態を添付図面に基づいて説明する。
【００２２】
（全体構成）
本実施形態に係るフレーム伝送システムは、図１に示すように一方の伝送装置としての送受信装置５０１Ａと、この送受信装置５０１Ａに対応して装備され伝送回線３，４を介して相互に所定の情報データを伝送する他方の伝送装置としての送受信装置５０１Ｂとを備えている。又、この各送受信装置５０１Ａ，５０１Ｂの相互間には、前述した伝送回線３，４とは別に、管理制御情報を相互に伝送する伝送回線５が装備されている。この一方と他方の各送受信装置５０１Ａ，５０１Ｂは、後述するように同一にして且つ対向する構成を有し、それぞれに同一の動作タイミングを設定するための同期パタン調整機能を備えた構成となっている。
【００２３】
（送受信装置５０１Ａ）
前述した送受信装置５０１Ａは、受信側第１のレジスタ１３Ａに記憶された同期時間情報から同期パタンを生成する同期パタン生成部３Ａと、同期パタン付加前情報データフレームｐ１に初期状態での同期パタン又は生成された同期パタンを付加する同期パタン付加部２Ａと、この同期パタン付フレームを送受信装置５０１Ｂに送信するフレーム送信部６Ａとを備えている。
【００２４】
また、この送受信装置５０１Ａは、送受信装置５０１Ｂより同期パタン付フレームを受信するフレーム受信部８Ａと、そのフレームに付加されている同期パタンからクロック同期を検出するクロック同期検出部９Ａと、クロック同期検出部９Ａでのクロック同期の検出に最低限必要な同期時間情報を生成する同期時間情報生成部１４Ａと、この生成された同期時間情報を前述した受信側である送受信装置５０１Ｂに通知し又当該送受信装置５０１Ｂのクロック同期検出部９Ｂで最低限必要とする同期時間情報を受信する管理制御部７Ａとを備えている。
更に、この送受信装置５０１Ａは、管理制御部７Ａが受信した送受信装置５０１Ｂのクロック同期検出部９Ｂで最低限必要な同期時間情報を格納する送信側第１のレジスタ１３Ａと、クロック同期検出部９Ａでのクロック同期の検出に最低限必要な同期時間情報を格納する送信側第２のレジスタ１５Ａと、クロック同期検出部９Ａで抽出された抽出クロックｐ２によって受信フレームをリタイミングするリタイミング部（Re-Timing 部）１１Ａとを備えている。
【００２５】
（送受信装置５０１Ｂ）
同様にして、上述した送受信装置５０１Ａに対向して装備された受信側の送受信装置５０１Ｂは、受信側第１のレジスタ１３Ｂに記憶されている同期時間情報から同期パタンを生成する同期パタン生成部３Ｂと、同期パタン付加前情報（データフレームｍ１）に初期状態での同期パタン又は生成された同期パタンを付加する同期パタン付加部２Ｂと、この同期パタン付フレームを送受信装置５０１Ａに送信するフレーム送信部６Ｂとを備えている。
【００２６】
又、この送受信装置５０１Ｂは、送受信装置５０１Ａより同期パタン付フレームを受信するフレーム受信部８Ｂと、そのフレームに付加されている同期パタンからクロック同期を検出するクロック同期検出部９Ｂと、クロック同期検出部９Ｂでのクロック同期の検出に最低限必要な同期時間情報を生成する同期時間情報生成部１４Ｂと、この生成された同期時間情報を送受信装置５０１Ａに通知し又送受信装置５０１Ａのクロック同期検出部９Ａで最低限必要な同期時間情報を受信する管理制御部７Ｂとを備えている。
更に、この送受信装置５０１Ｂは、管理制御部７Ｂが受信した送受信装置５０１Ａのクロック同期検出部９Ａで最低限必要な同期時間情報を格納する受信側第１のレジスタ１３Ｂと、クロック同期検出部９Ｂでのクロック同期の検出に最低限必要な同期時間情報を格納する受信側第２のレジスタ１５Ｂと、クロック同期検出部９Ｂで抽出された抽出クロックｍ２によって受信フレームをリタイミングするリタイミング部（Re-Timing 部）１１Ｂとを有する。
【００２７】
（送受信装置５０１Ａと送受信装置５０１Ｂとの関連）
次に、送受信装置５０１Ａと送受信装置５０１Ｂとの関連を詳述する。
送受信装置５０１Ａ内部の同期パタン付加部２Ａは、同期パタン付加前フレームに対して同期パタンを付加して対向する送受信装置５０１Ｂに送信する。送受信装置５０１Ｂ内部のクロック同期検出部９Ｂは、同期パタンが付加されたフレームを受信すると同期パタンを使用してクロック同期検出を行う。
【００２８】
このクロック同期検出に合せて、同期時間情報生成部１４Ｂは、同期確立に最低限必要な時間又はビット数を同期時間情報として生成し、この生成した同期時間情報を受信側第２のレジスタ１５Ｂに格納する。送受信装置５０１Ｂの管理制御部７Ｂは、受信側第２のレジスタ１５Ｂに格納され前記クロック同期検出部９Ｂが同期確立に最低限必要とする時間又はビット数の情報（同期時間情報）を、前述した送受信装置５０１Ａ内部の管理制御部７Ａに対して管理制御情報を使用して通知する（伝送する）。
【００２９】
送受信装置５０１Ａの管理制御部７Ａは、通知された（伝送されてきた）同期確立用の時間又はビット数の情報を前述した送信側第１のレジスタ１３Ａに格納する。続いて、送受信装置５０１Ａの同期パタン生成部３Ａは、同期パタン再生機能を作動させて、送信側第１のレジスタ１３Ａに格納された同期時間情報に基づいて同期パタンを生成し同期用パタンを再生性し最適化する。
【００３０】
同様にして、送受信装置５０１Ｂ内部の同期用パタン付加部２Ｂは、同期用パタン付加前フレームに対して同期用パタンを付加して対向する前述した送受信装置５０１Ａに送信する。送受信装置５０１Ａ内部のクロック同期検出部９Ａは、この同期用パタンが付加されたフレームを受信すると同期用パタンを使用してクロック同期検出を行う。
このクロック同期検出に合せて同期時間情報生成部１４Ａは、同期確立に最低限必要な時間又はビット数を同期時間情報として生成し、この同期時間情報を送信側第２のレジスタ１５Ａに格納する。
【００３１】
送受信装置５０１Ａの管理制御部７Ａは、送信側第２のレジスタ１５Ａに格納した（クロック同期検出部９Ａが同期確立に最低限必要とする）時間又はビット数の情報（同期時間情報）を送受信装置５０１Ｂ内部の管理制御部７Ｂに対して管理制御情報として伝送する。送受信装置５０１Ｂ内部の管理制御部７Ｂは、伝送されてきた同期時間情報を対向送受信装置５０１Ｂの受信側第１のレジスタ１３Ｂに格納する。
【００３２】
送受信装置５０１Ｂ内部の同期パタン生成部３Ｂは、同期パタン再生機能を作動させ、受信側第１のレジスタ１３Ｂに格納された送受信装置５０１Ａから通知された同期時間情報に基づいて、同期パタンを再生成し同期用パタンを最適化する。
【００３３】
上述したように、本実施形態では、フレーム受信側のクロック同期検出部での同期検出の後、同期確立に最低限必要な同期時間情報を同期時間情報生成部で生成し、この同期時間情報をフレーム送信側で受信し、この最適な同期時間情報より同期パタンを再生成し、これにより同期パタンを最適化する構成である。
【００３４】
（その他）
また、前述した送受信装置５０１Ａと送受信装置５０１Ｂとは、相互に対向する構成を有し、送受信装置５０１Ａの同期パタン付加部２Ａからの同期パタン付フレームは、フレーム送信部６Ａおよび情報データ伝送回線３を経由して送受信装置５０１Ｂのフレーム受信部８Ｂで受信され、クロック同期検出部９Ｂに送られる。
同様に、送受信装置５０１Ｂの同期パタン付加部２Ｂからの同期パタン付フレームは、フレーム送信部６Ｂおよび情報データ伝送回線４を経由して送受信装置５０１Ａのフレーム受信部８Ａで受信されクロック同期検出部９Ａに送られる。
【００３５】
このように、それぞれの管理制御部７Ａ（７Ｂ）は、管理用インターフェース信号で結ばれており、このインターフェースを経由して管理制御情報を所定の管理制御情報伝送方法でやりとりする。即ち、クロック同期検出部９Ａ（９Ｂ）で検出したクロック同期に最低限必要な同期時間情報を管理制御情報伝送方法で対向する送受信装置５０２Ｂ（５０２Ａ）に通知する。
これにより、受信した側の送受信装置５０２Ｂ又は５０２Ａでは、送られて来た同期パタンよりクロック同期の検出に必要な最適な同期時間情報を生成し、これを最適な同期パタン情報の元情報として送信側伝送装置に迅速にフィードバックすることができる。
【００３６】
（第１の実施形態の動作）
次に、上述した第１実施形態の動作を図２に基づいて説明する。
まず、送信側の送受信装置５０１Ａが受信側の送受信装置５０１Ｂに向けてフレーム情報を送信する場合の動作を説明する。同時に、本発明にかかるフレーム伝送方法の実施形態の一例を具体的に開示する。
【００３７】
図１の同期パタン付加部２Ａに対して、通信開始後に最初に送信する同期パタンなしの情報データフレームｐ1 が与えられると、同期パタン生成部３Ａは送信側第１のレジスタ１３Ａが持っている予め設定された初期値に基づいて同期パタンを生成し、同期パタン付加部２Ａはこの同期パタンを情報データフレームの先頭に付加し、図２の伝送波形図におけるフレーム１ｂのようなフレーム情報を送受信装置５０１Ｂに送信する。
【００３８】
受信側では、送受信装置５０１Ｂのクロック同期検出部９Ｂが、送受信装置５０１Ａから送信されたフレーム情報( 図２のフレーム１ｂ) を受信すると、フレームの先頭に付加された同期パタンを利用して入力フレームに同期したクロックを抽出する。このクロックを基に同期時間情報生成部１４Ｂは、クロック同期確立に要した時間又はビット数の情報を同期時間情報として生成し、送受信装置５０１Ｂの受信側第２のレジスタ１５Ｂに書き込む。
【００３９】
送信側の送受信装置５０１Ａから送信されたフレームは、クロック同期検出部９Ｂで抽出した抽出クロックｍ２でリタイミング部（Re-Timing 部）１１Ｂにおいてリタイミングされる。このリタイミングすることによって、同期確立後フレームｍ３はクロック同期処理が可能となる。
また、受信側第２のレジスタ１５Ｂに書き込まれた同期時間情報は、管理制御部７Ｂにより送信側送受信装置５０１Ａの管理制御部７Ａに伝送される。
【００４０】
本実施形態における管理制御部７Ａ，７Ｂ相互間の情報の授受は、フレームを送受する情報データ伝送回線３とは別の専用の管理制御情報伝送回線５にて行う。この管理制御部７Ａ，７Ｂ相互間の管理制御情報の伝送方法は、通信プロトコルとして独自プロトコルでもよいし、既知の技術、例えばＳＭＩ(Serial ManagementInterface)などを使用してもよいが、送受信装置５０１Ａ，５０１Ｂともに同じプロトコルを使用することが情報の授受を行う上での条件となる。
【００４１】
管理制御部７Ａは通知された対向する送受信装置５０１Ｂからのクロック同期時間情報を送信側第１のレジスタ１３Ａに書き込む。この時点で送信側第１のレジスタ１３Ａは初期値から現時点での最適値に書き換えられたことになる。このとき、同期パタン生成部３Ａは、送信側第１のレジスタ１３Ａに記憶されている最適値に書き換えられた同期時間情報に基づいて同期パタンを生成する（再生成機能の発動）。
【００４２】
同期パタン付加部２Ａは、この生成された同期パタンを次の同期パタン付加前情報データフレーム（図１のｐ１）に付加し、前述した送受信装置５０１Ｂにとって最適な長さの同期パタンが付加された同期パタン付フレーム（図２のフレーム２ｂ）を生成する。この生成された同期パタン付フレームは、フレーム送信部６Ａを経由して送受信装置５０１Ｂに送信される。
【００４３】
このため、同期パタンの長さは、同期時間情報に基づいてその時点の最適値に作成されると共に情報データフレームに付加されて受信側に伝送される。従来例では、同期パタンは固定長であり、その長さの相当数は利用されないのにその固定長分の伝送がなされていた。即ち、同期パタンの大部分は利用されないのに固定長分をフレーム伝送する毎に伝送していたため冗長が発生し、スループットを大幅に低下させ伝送効率を低下させていた。これに対し本実施形態では、上述したように同期パタンの必要な部分のみを情報データフレームに付加して受信側に伝送するように構成したので、スループットの大幅な向上を図ることができ、これにより伝送効率を大幅に向上させることができる。
【００４４】
次に、前述した受信側に位置する送受信装置５０１Ｂから送受信装置５０１Ａに対してフレーム情報を伝送する場合の動作を説明する。
【００４５】
図１の送受信装置５０１Ｂでは、同期パタン付加部２Ｂに通信開始後、最初に送信する同期用パタン付加前情報データフレームｍ１が与えられると、同期パタン作成部３Ｂは受信側第１のレジスタ１３Ｂが持っている初期値に基づき同期パタンを作成し、同期パタン付加部２Ｂはこの同期パタンを情報データフレームの先頭に付加し、図２の伝送波形図中におけるフレーム１ｂのようなフレームを送受信装置５０１Ａに伝送する。
【００４６】
送受信装置５０１Ａのクロック同期検出部９Ａは、送受信装置５０１Ｂから伝送されて来たフレーム（図２のフレーム１ｂ）を受信すると、フレームの先頭に付加された同期用パタンを利用して入力フレームに同期したクロックを抽出する。このクロックを基に同期時間情報生成部１４Ａは、クロック同期確立に要した時間又はビット数の情報を同期時間情報として生成し、送信側第１のレジスタ１５Ａに書き込む。
送受信装置５０１Ｂから送信されたフレームは、クロック同期検出部９Ａで抽出した同期クロックｐ２でリタイミング部（Re-Timing 部）１１Ａにおいてリタイミングされる。このリタイミングすることによって、同期確立後フレームｐ３はクロック同期処理が可能となる。
【００４７】
送信側第１のレジスタ１５Ａに書き込まれたクロック同期検出部９Ａでのクロック同期時間情報は、管理制御部７Ａによって前述した送受信装置５０１Ｂの管理制御部７Ｂに通知される。管理制御部７Ｂは、通知された対向する送受信装置５０１Ａのクロック同期確立時間情報を送受信装置５０１Ｂの受信側第１のレジスタ１３Ｂに書き込む。この時点で送受信装置５０１Ｂの受信側第１のレジスタ１３Ｂは初期値から現時点での最適値に書き換えられたことになる。
【００４８】
このとき、同期パタン生成部３Ｂは、受信側第１のレジスタ１３Ｂに記憶されている最適値に書き換えられた同期時間情報に基づいて同期パタンを生成する（再生成機能の発動）。同期パタン付加部２Ｂは、この生成された同期パタンを次の同期パタン付加前情報データフレーム（図１のｍ１）に付加し、送受信装置５０１Ａにとって最適な長さの同期パタンが付加された同期パタン付フレーム（図２のフレーム２ｂ）を生成する。この生成された同期パタン付フレームが、フレーム送信部６Ｂを経由して送受信装置５０１Ａに伝送される。
このため、この送受信装置５０１Ｂから送受信装置５０１Ａにフレーム伝送を実行する場合も、前述した送受信装置５０１Ａから送受信装置５０１Ｂへフレーム伝送を実行する場合と同様の作用効果を得ることができる。
【００４９】
更に、上記第１の実施形態の初期状態からのシーケンスを、図３に示すタイムチャートを用いて説明する。
【００５０】
まず、送受信装置５０１Ａの送信側第１のレジスタ１３Ａには初期値が設定されている（ｓ１００）。次に、この送信側第１のレジスタ１３Ａ上の初期値を用いて同期パタンを生成し（ｓ１０１）、この同期パタンを備えたフレームを通常フレームとして送受信装置５０１Ｂに送信する（ｓ１０２）。
送受信装置５０１Ｂではこの通常フレームを受信し（ｓ１０３）、同期検出を開始し（ｓ１０４）、  同期検出を完了した時点（ｓ１０５）で同期に必要な同期時間情報を生成し（ｓ１０６）、この生成された同期時間情報を前述した所定の伝送方法にて送受信装置５０１Ａに送信する（ｓ１０７）。
【００５１】
送受信装置５０１Ａでは、この受信した同期時間情報を送信側第１のレジスタ１３Ａに書き込む（ｓ１０８）。この時点で、送信側第１のレジスタ１３Ａは最適値に書き換えられる（ｓ１０９）。送受信装置５０１Ａでは、この最適値に書き換えられた送信側第１のレジスタ１３Ａより同期パタンを生成し（ｓ１１０）、この同期パタンを有するフレームを通常フレームとして送受信装置５０１Ｂに送信する（ｓ１１１）。これにより同期パタンは最適値となり、不要な同期パタン部分は削除され、スループットが向上し、伝送効率が向上する。
【００５２】
このように、本第１の実施形態によれば、受信側の装置で必要なクロック同期検出時間情報を当該受信側の装置から同期時間情報として対向する送信装置５０１Ａに前述した管理制御情報伝送方法を使用して通知することにより、対向する送信装置で付加する同期用パタンを最適化することができ、これがため、最適化した分だけ、データスループットの向上を図ることができ伝送効率の向上を図ることができる。
【００５３】
ここで、前述した第１の実施形態において、一方と他方の各送信装置５０１Ａ，５０１Ｂを構成する各要素の機能を、それぞれ同一内容のデータ処理を成し得るフレーム伝送プログラムで構成し、このフレーム伝送プログラム予め準備したコンピュータによって実行するように構成してもよい。
このようにしても、前述した第１の実施形態と同等の効果を奏するフレーム伝送プログラムを得ることができる。
【００５４】
〔第２の実施形態〕
次に、第２の実施形態を図４に基づいて説明する。ここで、前述した第１の実施形態と同一の構成要素については同一の符号を用いるものとする。
【００５５】
（構成）
この第２の実施形態は、図４に示すように、相互に送受信可能な一方と他方の伝送装置としての送受信装置５０２Ａ，５０２Ｂを有し、伝送回線３，４を介して各送受信装置５０２Ａ，５０２Ｂの相互間でフレームによりデータをやりとりする構成となっている。
この内、一方の伝送装置である送信側の送受信装置５０２Ａは、前述した第１の実施形態の場合と同様に、予め設定された同期時間情報に基づき同期パタンを生成する同期パタン生成部３Ａと、この生成された同期パタンを伝送情報である情報データフレームに付加して同期パタン付フレームを生成する同期パタン付加部２Ａと、この生成された同期パタン付フレームを前述した他方の送受信装置５０２Ｂへ伝送するフレーム送信部６Ａとを備えている。
また、前述した同期パタン生成部３Ａは、他方の伝送装置である受信側を構成する送受信装置５０２Ｂから送られてくる同期時間情報（当該受信側で確立されたもの）に基づいて前述した同期パタンを再生成する同期パタン再生機能を備えている。
【００５６】
前述した送受信装置５０２Ｂは、送信側である送受信装置５０２Ａから伝送される同期パタン付フレームに含まれる同期パタンに基づいて当該受信側でクロック同期の検出に必要な制御情報（同期時間情報）を生成する同期時間情報生成部１４Ｂを備え、この生成された同期時間情報を受信側にとって最適な同期時間情報として前述した送信側の送受信装置５０２Ａに向けて伝送するように構成されている。この場合、同期時間情報の伝送は、フレーム送信部６Ｂを介して送信する方式（フレーム情報に多重化して送信するインバンド方式）が採用されている。
【００５７】
更に、この第２の実施形態における送受信装置５０２Ａは、前述した第１実施形態の場合と同様に、送信側第１のレジスタ１５Ａに記憶している同期時間情報と前述した同期パタン生成部３Ａからの同期パタンとを取り込んで管理制御フレームを生成すると共に，同期パタン付フレームの間にこの管理制御フレームをフレーム多重方法で挿入してフレーム送信部６Ａに送り出す管理制御フレーム挿入部１７Ａを備えている。
又、この送信側の送受信装置５０２Ａは、前述した受信側の送受信装置５０２Ｂから送り込まれる（同期パタン付フレームに基づいてリタイミング部１１Ａで生成される）同期確立後フレームｐ３が管理制御フレームであるか否かを検出すると共に、管理制御フレームであればこの管理制御フレームを除去して（管理制御フレーム除去後の）フレームｐ４を生成して管理制御フレーム内の情報データより前述した送受信装置５０２Ｂが必要とする同期時間情報を復元して第２の同期情報レジスタ１３Ａに記憶させる管理制御フレーム終端部１６Ａを備えている。
【００５８】
ここで、管理制御情報である前述した同期時間情報の伝送手段について、前述した第１の実施形態の場合とその構成を比較しながら説明する。
【００５９】
まず、送信側の送受信装置５０２Ａから受信側の送受信装置５０２Ｂに管理制御情報である同期時間情報を通知する場合、第１の実施形態では管理制御情報伝送回線５を経由して管理制御部７Ａから管理制御部７Ｂへ同期時間情報を通知する。
これに対し、第２の実施形態では、管理制御フレーム挿入部１７Ａが同期時間情報を管理制御フレームとして生成すると共にこの管理制御フレームを通常の同期パタン付フレームの間にフレーム多重方法で挿入し（以下、インバンドと称す）情報データ伝送回線３などを経由して送受信装置５０２Ｂの管理制御フレーム終端部１６Ｂに通知する。
【００６０】
即ち、前述した第１の実施形態では、管理制御情報である同期時間情報を同期パタン付フレームを伝送する情報データ伝送回線３とは別の管理制御情報伝送回線５を用いて伝送する。これに対し、第２の実施形態では、同期パタン付フレームを伝送する情報データ伝送回線３を用いて同期時間情報を管理制御フレームの情報データ部分にのせ、通常の同期パタン付フレームの間にフレーム多重化して伝送するように構成されている。
【００６１】
又、この第２の実施形態では、前述した第１の実施形態の構成に比較して、新たに管理制御フレーム挿入部１７Ａと管理制御フレーム終端部１６Ａを装備し、これに代えて、第１の実施形態（図１）の送受信装置５０１Ａで装備されていた管理制御情報伝送回線５と管理制御部７Ａ，７Ｂとを削除した構成となっている。
【００６２】
ここで、この第２の実施形態における送信側の送受信装置５０２Ａは、上述した受信側の送受信装置５０２Ｂと同じ構成を有し、またこの受信側の送受信装置５０２Ｂは前述した送信側の送受信装置５０２Ａと同じ構成を有し、これによって各送受信装置５０２Ａ，５０２Ｂが相互にフレーム伝送を可能とする構成となっている。
その他の構成は前述した第１実施形態の場合と同様の構成となっている。
【００６３】
（第２実施形態の動作）
次に、上記第２の実施形態の動作を図４乃至図５を用いて説明する。同時に、本発明にかかるフレーム伝送方法の実施形態の一例を具体的に開示する。
【００６４】
図４において、送信側の送受信装置５０２Ａの送信側第１のレジスタ１３Ａは、受信側の送受信装置５０２Ｂの同期確立に要する時間情報を記憶しており、通信開始後は同期時間情報の初期値が設定される。また、送受信装置５０２Ａの送信側第２のレジスタ１５Ａは、送受信装置５０２Ａが同期確立に要した時間情報を記憶しており、通信開始後は初期値が設定される。
【００６５】
同様に、受信側の送受信装置５０２Ｂの受信側第１のレジスタ１３Ｂは、送受信装置５０２Ａの同期確立に要する時間情報を記憶しており、通信開始後は同期時間情報の初期値が設定される。また、この送受信装置５０２Ｂの受信側第２のレジスタ１５Ｂは、送受信装置５０２Ｂが同期確立に要した時間情報を記憶しており、通信開始後は初期値が設定される。
【００６６】
管理制御フレーム挿入部１７Ａは、送信側第２のレジスタ１５Ａに記憶されている（送受信装置５０２Ａの同期確立に要した）同期時間情報（ビット数など）と同期パタン生成部３Ａからの同期パタンとを取りこんで管理制御フレームを生成すると共に、同期パタン付加部２Ａで生成された通常の同期パタン付フレームの間にこの生成された管理制御フレームをフレーム多重方法で挿入し、フレーム送信部６Ａに送り出す。この場合、同期パタン付フレームや管理制御フレームに付加されている同期パタンは、図６のフレーム１やフレーム２に示すように初期値に基づく同期パタン（最適化前）である。フレーム送信部６Ａは、この多重化された同期パタン付フレームを情報データ伝送回線３を介して送受信装置５０２Ｂのフレーム受信部８Ｂへ送信する。
【００６７】
この受信側の送受信装置５０２Ｂは、第１の実施形態と同様に、受信した同期パタン付フレームよりクロック同期検出部９Ｂで同期クロックを検出し、同期時間情報生成部１４Ｂで同期クロックより同期時間情報を生成する。この生成された同期時間情報は、受信側第２のレジスタ１５Ｂに記憶される。この時点で受信側第２のレジスタ１５Ｂは、前述した第１の実施形態と同様に最適値に置き換えられることになる。
【００６８】
一方、リタイミング部１１Ｂは、前述した第１の実施形態と同様に、クロック同期検出部９Ｂで抽出された抽出クロックｍ２により同期パタン付フレームから同期確立後フレームｍ３を生成する。
【００６９】
管理制御フレーム終端部１６Ｂは、この生成された同期確立後フレームｍ３が管理制御フレームであるか否かを検出し、管理制御フレームであればこの管理制御フレームを除去し管理制御フレーム除去後フレームｍ４を生成する。また、管理制御フレーム内の情報データより送受信装置５０２Ａが必要とする同期時間情報を復元し、受信側第１のレジスタ１３Ｂに記憶する。この時点で、前述した第１の実施形態の場合と同様に、受信側第１のレジスタ１３Ｂは最適値に置き換えられることになる。
【００７０】
同期パタン生成部３Ｂは、前述した第１の実施形態と同様に、この受信側第１のレジスタ１３Ｂに記憶されている最適化された同期時間情報に基づいて同期パタンを生成する。同期パタン付加部２Ｂは、情報データフレームにこの最適化された同期パタンを付加し通常の同期パタン付フレームを生成する（図５のフレーム３）。
【００７１】
次に、管理制御フレーム挿入部１７Ｂは、受信側第２のレジスタ１５Ｂに記憶されている送受信装置５０２Ｂの同期時間情報を情報データとした管理制御フレーム（情報データ部分）を生成する。又、この管理制御フレーム挿入部１７Ｂは、同期パタンを同期パタン生成部３Ｂより受け取り、この生成された管理制御フレーム（情報データ部分）に付加して管理制御フレームを生成する。そして、この管理制御フレームを前述した通常の同期パタン付フレームの間にフレーム多重方法で挿入し（インバンド）、フレーム送信部６Ｂに送り出す。
【００７２】
即ち、図５の伝送波形図中のフレーム２に示すように、管理制御フレームを通常の同期パタン付フレームの間にフレーム多重方法で挿入することで、対向する送受信装置５０２Ｂに同期時間情報を通知する（以下、「インバンド転送」と称す）。
【００７３】
同様に、送受信装置５０２Ａは、この受信した同期パタン付フレームよりクロック同期検出部９Ａで同期クロックを検出し、前述した第１の実施形態と同様に、同期時間情報生成部１４Ａで同期クロックより同期時間情報を生成する。この生成された同期時間情報は、送信側第２のレジスタ１５Ａに記憶される。
この時点で送信側第２のレジスタ１５Ａは、前述した第１の実施形態と同様に、最適値に置き換えられることになる。
【００７４】
一方、リタイミング部１１Ａは、前述した第１の実施形態と同様に、クロック同期検出部９Ａで抽出された抽出クロックｐ２により同期パタン付フレームから同期確立後フレームｐ３を生成する。
【００７５】
そして、管理制御フレーム終端部１６Ａは、この生成された同期確立後フレームｐ３が管理制御フレームであるか否かを検出し、管理制御フレームであればこの管理制御フレームを除去し管理制御フレーム除去後フレームｐ４を生成する。また、管理制御フレーム内の情報データより送受信装置５０２Ｂが必要とする同期時間情報を復元し、送信側第１のレジスタ１３Ａに記憶する。この時点で、この送信側第１のレジスタ１３Ａは、前述した第１の実施形態と同様に最適値に置き換えられることになる。
【００７６】
同期パタン生成部３Ａは、前述した第１の実施形態と同様に、この受信側同期情報レジスタ１３Ａに記憶されている同期時間情報より最適化された同期パタンを生成する。また、前述した同期パタン付加部２Ａは、情報データフレームにこの生成された同期パタンを付加し同期パタン付フレームを生成する（図５のフレーム３）。
この同期パタン付フレームは、管理制御フレーム挿入部１７Ａを経由してフレーム送信部６Ａから情報データ伝送回線３を介して送受信装置５０２Ｂのフレーム受信部８Ｂに送られる。
【００７７】
次に、管理制御フレーム挿入部１７Ａは、送信側第２のレジスタ１５Ａに記憶されている送受信装置５０２Ａの同期時間情報を情報データとした管理制御フレーム（情報データ部分）を生成する。また、同期パタンを同期パタン生成部３Ｂより受け取り、この生成された管理制御フレーム（情報データ部分）に付加し管理制御フレームを生成する。そして、この管理制御フレームを、前述した通常の同期パタン付フレームの間にフレーム多重方法で挿入し（インバンド）フレーム送信部６Ａに送り出す。
【００７８】
即ち、図５の伝送波形図中のフレーム２で示すように、管理制御フレームを通常の同期パタン付フレームの間にフレーム多重方法で挿入することで対向する送受信装置５０２Ｂに同期時間情報を通知する。
【００７９】
このように、第２の実施形態では、同期時間情報を管理制御フレームを使ってインバンド転送することにより、送受信装置間に管理制御情報伝送回線を装備する必要がなくなるため、送受信装置が物理的に離れた場所にあり管理制御情報伝送回線を設けるのが困難な状況にあっても情報データ伝送回線のみで制御できるという効果が生まれる。
【００８０】
尚、一つの回線上にて複数の異なる種類のデータを送受信する方法の一例として、第２の実施形態では時間をずらしてフレーム多重化を行い送受信する方法を示したが、本発明はデータ送受信の手法をこれに限定するものではなく、同等に機能する方式であれば、例えば周波数多重方法や従来から知られているいくつかの伝送方式の何れかを採用したものであってもよい。
【００８１】
ここで、前述した第２の実施形態において、一方と他方の各送信装置５０２Ａ，５０２Ｂを構成する各要素の機能を、それぞれ同一内容のデータ処理を成し得るフレーム伝送プログラムで構成し、このフレーム伝送プログラム予め準備したコンピュータによって実行するように構成してもよい。
このようにしても、前述した第２の実施形態と同等の効果を奏するフレーム伝送プログラムを得ることができる。
【００８２】
又、前述したように、本発明の目的は受信側で必要な同期時間情報を送信側のＰＡ（同期パタン）付加部に与えて冗長なＰＡを削減し、データのスループットを向上させ伝送効率を向上させるために可変長同期パタンを利用したフレーム伝送システム及びそれに用いる同期時間情報伝送方法を提供することにある。そして、かかる目的を達成するために、本発明では、同期パタンの長さを受信側で必要な最適同期パタン長にして送信側に通知し、これによって同期に不必要な冗長パタン部分を削除してフレーム伝送を行うようにした。この結果、フレーム伝送の冗長が少なくなり、スループットが上り効率の良い伝送を可能とすることができるという効果を得ることができた。
【００８３】
尚、本発明はイーサネットを例にして説明したが、イーサネットに限らず、同期用パタン（Preamble）を付加したフレーム（パケット）を使用して通信を行う通信システム全般に適用される。また、受信装置で同期確立に必要な時間情報を対向する送信装置に通知する手法は、上記各実施形態で説明したＳＭＩ（Serial Management Interface)や保守制御フレームを使用した手法に限定されるものではない。
【産業上の利用可能性】
【００８４】
本発明は、イーサネットに限らず、同期用パタン（Preamble）を付加したフレーム（パケット）を使用して通信を行う通信システム全般に利用できる。
【図面の簡単な説明】
【００８５】
【図１】本発明の第１の実施の形態におけるフレーム伝送システムの構成を示す構成ブロック図である。
【図２】図１に示す第１の実施形態における伝送波形の内容を示す説明図である。
【図３】図１に示す第１の実施形態の動作を示すタイムチャートである。
【図４】本発明の第２の実施の形態におけるフレーム伝送システムの構成を示す構成ブロック図である。
【図５】図４に示す第２の実施形態における伝送波形の内容を示す説明図である。
【図６】ＯＳＩ参照モデルにおけるイーサネットの物理層とデータリンク層のフレームフォーマットの内容を示す説明図である。
【符号の説明】
【００８６】
２Ａ，２Ｂ  同期パタン付加部
３，４  情報データ伝送回線
３Ａ，３Ｂ  同期パタン生成部
５  管理制御情報伝送回線
６Ａ，６Ｂ  フレーム送信部
７Ａ，７Ｂ  管理制御部
８Ａ，８Ｂ  フレーム受信部
９Ａ，９Ｂ  クロック同期検出部
１１Ａ，１１Ｂ  リタイミング部（Ｒｅ−Ｔｉｍｉｎｇ部）
１３Ａ  送信側第１のレジスタ
１３Ｂ  受信側第１のレジスタ
１４Ａ，１４Ｂ  同期時間情報生成部
１５Ａ  送信側第２のレジスタ
１５Ｂ  受信側第２のレジスタ
１６Ａ，１６Ｂ  管理制御フレーム終端部
１７Ａ，１７Ｂ  管理制御フレーム挿入部
５０１Ａ，５０１Ｂ  一方の伝送装置としての送受信装置
５０２Ａ，５０２Ｂ  他方の伝送装置としての送受信装置
ｍ１
ｍ２  抽出クロック
ｍ３  同期確立後フレーム
ｐ１  情報データフレーム生成部
ｐ２  抽出クロック
ｐ３  同期確立後フレーム
ｐ４  管理制御フレーム除去後のフレーム
【図１】
2007097072.tif 000003
【図２】
2007097072.tif 000004
【図３】
2007097072.tif 000005
【図４】
2007097072.tif 000006
【図５】
2007097072.tif 000007
【図６】
2007097072.tif 000008